(57)【特許請求の範囲】
【請求項１】
視認性を有する情報とその情報に対応する複数色の光学式認識コードとが示された表面を有する表示板と、
前記表示板を、その表面を表に向けた状態で着脱自在に保持する保持板と、
前記保持板の表面に、読取部を向けた状態で前記保持板の表面に沿って移動することにより、前記保持板の表面の表示内容を読み取る読取手段と、
前記読取手段により得られた画像データに基づいて、前記表示板の複数色の光学式認識コードを読み取るとともに、前記表示板の位置を特定する制御部と、
前記制御部は、前記読取手段により決まる前記保持板の表面内における読取領域内に分割領域を決定し、その分割領域内における前記表示板の位置をその各々の光学式認識コードにより特定する制御を行うことを特徴とする電子黒板。
【請求項２】
前記光学式認識コードが、異なる色同士が隣接した状態で並んで配置された複数のセルを有することを特徴とする請求項１記載の電子黒板。
【請求項３】
前記分割領域のデータを、前記読取手段により得られた画像データに基づいて作成する
ことを特徴とする請求項１記載の電子黒板。
【発明の詳細な説明】
【技術分野】
【０００１】
本発明は、電子黒板に関し、例えば、カラービット（登録商標）のような光学式認識コードを読み取ることが可能な電子黒板に関するものである。
【背景技術】
【０００２】
カラービットは、赤、青、緑の色を使ってデータを表したコードである。カラービットは、赤、青、緑の色の繋がりで表現されており、連続したセルの色の並びを自動認識することが可能になっている。カラービットにおいては、隣接する色の変化で、「１」、「０」のビットが表現されている。例えば、色が、赤青、青緑または緑赤の各々の順で変化しているところで「１」を表し、赤緑、緑青または青赤の各々の順で変化しているところで「０」を表している。
【０００３】
カラービットの読み取りにおいては、カメラの画像が使用され、取得された画像が認識用ソフトウェアによりＩＤ（ｉｄｅｎｔｉｆｉｃａｔｉｏｎ）コード等に変換される。カメラは、例えば、デジタルカメラ、ウェブカメラまたは携帯電話やパソコン用のカメラを使用することができる。また、画像は、例えば、静止画、動画またはリアルタイム映像のいずれの画像においても認識することができる。
【０００４】
カラービットを用いた場合、画像内の複数のカラービットを一括して読み取る（解析する）ことができる。また、読めないコードは画像を確認することにより判断することができる。また、読み取ったカラービットから、各コードの位置や順番を判断することができる。さらに、画面を見ながら探したいコードを簡単に探し出すことができる。
【０００５】
なお、画像の読取技術については、例えば、特許文献１に記載があり、ボート上の情報を自走しながら読み取る読取ユニットを備えた電子黒板について開示されている。
【先行技術文献】
【特許文献】
【０００６】
【特許文献１】特開２０００−２３６４２０号公報
【発明の概要】
【発明が解決しようとする課題】
【０００７】
ところが、複数のカラービットを読み取る場合には、そのカラービットが貼り付けられた表示面の向かい側にカメラを設置しそのカメラで表示面を撮影しているので、カメラの設置スペースを確保しなければならない、という課題がある。また、カメラを固定設置した場合には、表示面形成用のボードを移動することができなくなる、という課題がある。
【０００８】
本発明は、上述の技術的背景からなされたものであって、その目的は、設置位置を変更する場合も移動作業を容易にできるようにした電子黒板を提供することを目的とする。また、本発明の他の目的は、カラービットのような光学式認識コードが示された複数の表示板が配置された表示面の表示内容を読み取る電子黒板を大型化させないことを目的とする。
【課題を解決するための手段】
【０００９】
上記課題を解決するため、請求項１に記載の本発明の電子黒板は、視認性を有する情報とその情報に対応する複数色の光学式認識コードとが示された表面を有する表示板と、前記表示板を、その表面を表に向けた状態で着脱自在に保持する保持板と、前記保持板の表面に、読取部を向けた状態で前記保持板の表面に沿って移動することにより、前記保持板の表面の表示内容を読み取る読取手段と、前記読取手段により得られた画像データに基づいて、前記表示板の複数色の光学式認識コードを読み取るとともに、前記表示板の位置を特定する制御部と、を備えることを特徴とする。
また、請求項２に記載の本発明は、請求項１記載の電子黒板において、前記光学式認識コードが、異なる色同士が隣接した状態で並んで配置された複数のセルを有することを特徴とする。
また、請求項３に記載の本発明は、請求項１または２記載の電子黒板において、前記制御部は、前記読取手段により決まる前記保持板の表面内における読取領域内に分割領域を決定し、その分割領域内における前記表示板の位置をその各々の光学式認識コードにより特定する制御を行うことを特徴とする。
また、請求項４に記載の本発明は、請求項３記載の電子黒板において、前記分割領域のデータを、前記読取手段により得られた画像データに基づいて作成することを特徴とする。
【発明の効果】
【００１０】
本発明によれば、カラービットのような光学式認識コードが示された複数の表示板が配置された表示面の表示内容を読み取る電子黒板の設置位置を変更する場合も電子黒板の移動作業を容易にすることが可能になる。また、本発明によれば、電子黒板を大型化させないようにすることが可能になる。
【図面の簡単な説明】
【００１１】
【図１】本発明の一実施の形態に係る電子黒板の斜視図である。
【図２】図１の電子黒板のボードの正面図である。
【図３】図１の電子黒板を構成するボードの表示例の拡大正面図である。
【図４】図３のボードに貼られた表示プレートの１つを拡大して示した拡大平面図である。
【図５】（ａ）はカラービットの原理を説明するための色関係図、（ｂ）はカラービット生成イメージの説明図である。
【図６】図１の電子黒板における制御部の要部の概略回路ブロック図である。
【図７】電子黒板の変形例の概略回路ブロック図である。
【図８】図１の電子黒板とパーソナルコンピュータとを有する読取システムの構成例を示す斜視図である。
【図９】配車地域のデータベースの一覧表の一部を例示する図である。
【図１０】パーソナルコンピュータのモニタに表示された配車地域の一覧表の一部を例示する図である。
【発明を実施するための形態】
【００１２】
以下、本発明の一例としての実施の形態について、図面に基づいて詳細に説明する。なお、実施の形態を説明するための図面において、同一の構成要素には原則として同一の符号を付し、その繰り返しの説明は省略する。
【００１３】
図１は本発明の実施の形態に係る電子黒板の斜視図、図２（ａ），（ｂ）は図１の電子黒板のボードの正面図である。
【００１４】
本実施の形態の電子黒板１は、その表示面内の表示内容を電子的な画像データに変換することが可能な装置であり、一対の脚部２，２と、これに支持された本体部３とを備えている。
【００１５】
一対の脚部２，２は、例えば、縦枠体２ａと、その縦枠体２ａを支持する支持体２ｂとをそれぞれ備えている。縦枠体２ａおよび支持体２ｂは、例えば、鋼材により形成されている。各支持体２ｂ，２ｂにおいて長手方向の両端近傍の底部には、電子黒板１を容易に移動することが可能なようにキャスタ２ｃ，２ｃが装着されている。
【００１６】
本体部３は、ボード（保持板）４と、読取ユニット（読取手段）５と、印刷ユニット６と、操作パネル７とを備えている。ボード４は、文字、図形、絵または罫線等を有する表示内容を表示する表示面Ｓを形成する部材である。読取ユニット５は、ボード４の表示面Ｓの表示内容を読み取る装置である。印刷ユニット６は、読取ユニット５により読み取られた表示内容を印刷する小型プリンタである。操作パネル７は、ボード４の表示面Ｓの表示内容の読取動作や印刷動作を操作するための複数の操作キーを有するパネルである。
【００１７】
ボード４は、その表面が白色塗料等によりコーティングされた金属薄板とその外周の枠体とを有しており、その平面形状は、例えば横方向に長い長方形状に形成されている。ボード４の表示面Ｓは、マーカペン等により表示内容を筆記したり消去したりすることが可能になっているとともに、用紙や後述の表示プレート等を磁石等の作用により貼り付けることが可能になっている。ボード４の表示面Ｓの読取領域ＲＡ（図２参照）は、読取ユニット５により表示内容を読み取ることが可能な領域である。なお、読取領域ＲＡは、実際に目視確認することはできないが、説明のため模式的に示している。
【００１８】
読取ユニット５は、ボード４の上下方向（短方向）の両端部間を橋渡すように延設されており、その平面形状は、例えば、上下方向に細長い帯状に形成されている。この読取ユニット５においてボード４の表示面Ｓに対向する面の読取部には、発光部および受光部（図示せず）が読取ユニット５の長手方向に沿って設置されている。発光部は、ボード４の表示面Ｓを照らす照明であり、例えば、蛍光灯やＬＥＤ（Ｌｉｇｈｔ  Ｅｍｉｔｔｉｎｇ  Ｄｉｏｄｅ）により構成されている。一方、受光部は、発光部からボード４に光を放射したときにボード４から反射した光を受光する部分であり、例えば、ＣＣＤイメージセンサやＣＭＯＳイメージセンサにより構成されている。
【００１９】
また、読取ユニット５は、例えば、ステッピングモータのようなモータ（図示せず）に機械的に接続されており、ボード４の左右横方向（長手方向）に移動可能な状態で設置されている。この読取ユニット５がボード４の長手方向の一端から他端に向かって移動する最中に、読取ユニット５の発光部からボード４の表示面Ｓに対して光を照射したときに反射した光の強度や色を読取ユニット５の受光部で受光することによって得られた各移動地点での画像データを合成することにより、ボード４の読取領域ＲＡの表示内容全体の画像データが作成されるようになっている。
【００２０】
読取ユニット５による読み取り動作は、社員がボード４上の後述の表示プレートの位置を変更（表示内容を更新）したら操作パネル７の操作キーを操作することで行う。ただし、読取ユニット５による読み取り動作は、操作パネル７の操作によるものに限定されるものではなく、例えば、所定時間毎に読取ユニット５による読み取り動作を自動的に実行するようにしても良いし、人が電子黒板１から離れると、それを電子黒板１に設けたセンサ等が検出し、読取ユニット５の読み取り動作を自動的に実行するようにしても良い。また、社員がボード４の後述の表示プレートの位置を変更（表示内容を更新）すると、読取ユニット５の読み取り動作を自動的に実行するようにしても良い。
【００２１】
次に、図３は図１の電子黒板を構成するボードの表示例の拡大正面図、図４は図３のボードに貼られた表示プレートの１つを拡大して示した拡大平面図、図５（ａ）はカラービットの原理を説明するための色関係図、図５（ｂ）はカラービット生成イメージの説明図である。なお、図３では図面を見易くするため読取ユニット５を省略している。
【００２２】
図３に示すように、ボード４の表示面Ｓの読取領域ＲＡには、例えば、社員の配車地域の一覧表が表示されている。このボード４の表示面Ｓには、枠状ラインＬがマーカペン等により筆記されており、この枠状ラインＬによって読取領域ＲＡが、例えば、５つの領域ＲＡ１〜ＲＡ５に分割されている。
【００２３】
読取領域ＲＡの上部の領域ＲＡ１は、例えば、一覧表のタイトル領域とされている。この領域ＲＡ１には、タイトル表示用の表示プレート１０ａが貼り付けられている。この表示プレート１０ａの表面には、例えば、人により認識することが可能な「配車地域」と記されたタイトル情報（文字情報）と、その情報に対応するカラービットＣＢとが表示されている。
【００２４】
この領域ＲＡ１の下方の領域ＲＡ２〜ＲＡ５は、枠状ラインＬにより４等分されている。この領域ＲＡ２〜ＲＡ５は、例えば、配車地域を示す領域とされており、各領域ＲＡ２〜ＲＡ５には、例えば、地域を示す表示プレート１０ｂと、その地域で活動する社員の名前を示す表示プレート１０ｃとが貼り付けられている。
【００２５】
このうち、地域を示す表示プレート１０ｂの表面には、例えば、人により認識することが可能な「Ａ駅」、「Ｂ駅」、「Ｃ駅」、「Ｄ駅」等と記された地域情報（文字情報）と、その情報に対応するカラービットＣＢとが表示されている。一方、社員の名前を示す表示プレート１０ｃの表面には、例えば、人により認識することが可能な「佐藤」、「山田」、「鈴木」、「田中」等と記された社員名情報（文字情報）と、その情報に対応するカラービットＣＢとが表示されている。
【００２６】
各表示プレート１０ａ〜１０ｃは、例えば、薄板状の樹脂、ゴム、紙または金属により形成されており、ボード４の表示面Ｓに磁力や貼付部材により着脱自在の状態で貼り付けられている。各表示プレート１０ａ〜１０ｃのカラービットＣＢは、赤、青、緑の色を使ってデータを表したコードであり、図４に例示するように、赤、青、緑に着色された複数のセルＣＣの集合体により形成されている。各カラービットＣＢには、異なる色のセルＣＣが互いに隣接した状態で連続して配置されている。
【００２７】
カラービットＣＢは、赤、青、緑の色の繋がりで表現されており、連続したセルＣＣの色の並びにより自動認識される。このカラービットＣＢにおいては、図５（ａ）に示すように、隣接する色の変化で、「１」、「０」のビットが表現されている。例えば、色が、赤青、青緑または緑赤の各々の順で変化しているところで「１」を表し、赤緑、緑青または青赤の各々の順で変化しているところで「０」を表している。例えば、図５（ｂ）のカラービットＣＢのセルＣＣの配列例では、「１１０１１０」の２進数に変換される。なお、図４および図５（ｂ）の赤、青および緑は、それらの色に着色されていることを示している。
【００２８】
このようなカラービットＣＢを用いた場合、読取ユニット５により読み取られた画像内の複数のカラービットＣＢの有無を判断（解析）することができる。また、読めないコードは画像を確認することにより判断することができる。また、読み取ったカラービットＣＢから、各コードの位置や順番を判断することができる。さらに、画面を見ながら探したいコードを簡単に探し出すことができる。
【００２９】
次に、図６は図１の電子黒板における制御部の要部の概略回路ブロック図、図７は電子黒板の変形例の概略回路ブロック図である。
【００３０】
図６に示すように、制御部１５は、ＣＰＵ（Ｃｅｎｔｒａｌ  Ｐｒｏｃｅｓｓｉｎｇ  Ｕｎｉｔ）１６と、ＲＯＭ（Ｒｅａｄ  Ｏｎｌｙ  Ｍｅｍｏｒｙ）１７と、ＲＡＭ（Ｒａｎｄｏｍ  Ａｃｃｅｓｓ  Ｍｅｍｏｒｙ）１８と、読取ユニット制御回路部１９と、ピクセル領域設定回路部２０と、ピクセル解析回路部２１と、カラービット解析回路部２２と、メモリカードインタフェイス部２３と、ホストインタフェイス部２４とを有している。
【００３１】
ＣＰＵ１６は、操作パネル７からの操作に従い、電子黒板１の読取ユニット５や印刷ユニット６の動作を制御する他、読取ユニット５により読み取られた画像の処理等、電子黒板１の全体の動作を制御する回路部である。ＲＯＭ１７は、ＣＰＵ１６の動作や処理に必要なプログラムやデータを記憶するメモリである。ＲＡＭ１８は、ＣＰＵ１６がプログラムを実行する際にワークエリアとして機能するメモリである。
【００３２】
読取ユニット制御回路部１９は、読取ユニット移動制御回路部１９ａと、画像処理回路部１９ｂとを有している。読取ユニット移動制御回路部１９ａは、ＣＰＵ１６からの制御信号に基づいて、読取ユニット５の移動用のモータ（図示せず）を制御する回路部であり、画像処理回路部１９ｂは、読取ユニット５により読み取られた画像に対して画像処理を施す回路部である。読取ユニット５により読み取られた画像は画像処理回路部１９ｂを経て画像データとしてＲＡＭに格納される。
【００３３】
ピクセル領域設定回路部２０は、読取ユニット５により読み取られ、画像処理回路部１９ｂを経て作成された画像データに対して、ピクセル領域を設定する回路部である。すなわち、ピクセル領域設定回路部２０においては、最初に表示が開始される画面左上を座標原点として、ピクセルによるマトリクス状の座標を設定する。ここでは、画面の水平方向をＸ座標、垂直方向をＹ座標とする。ピクセル領域設定回路部２０で作成された画像データはＲＡＭ１８に格納される。
【００３４】
ピクセル解析回路部２１は、ピクセル領域設定回路部２０で作成された画像データの画像解析を行う回路部である。ここでは、上記枠状ラインＬを抽出して枠状ラインＬの位置座標を確定するとともに、この枠状ラインＬにより読取領域ＲＡを複数の領域ＲＡ１〜ＲＡ５に分割する。ここでは、予め読取領域ＲＡの枠状ラインＬにより全体の領域が確定しているので、領域を指定して領域ＲＡ１〜ＲＡ５に分割することができる。また、読取領域ＲＡ内における各表示プレート１０ａ〜１０ｃの位置座標を各表示プレート１０ａ〜１０ｃのカラービットＣＢの位置により確定する。これにより、分割された領域ＲＡ１〜ＲＡ５内における表示プレート１０ａ〜１０ｃの位置が把握される。すなわち、各領域ＲＡ１〜ＲＡ５に、どの表示プレート１０ａ〜１０ｃがあるかが分かる。ピクセル解析回路部２１で作成された画像データはＲＡＭ１８に格納される。
【００３５】
カラービット解析回路部２２は、読取ユニット５により読み取られ、ピクセル領域設定回路部２０およびピクセル解析回路部２１を経て得られた画像データから各表示プレート１０ａ〜１０ｃのカラービットＣＢのコードを解析する回路部である。これにより、各領域ＲＡ１〜ＲＡ５の各表示プレート１０ａ〜１０ｃのコードが分かる。すなわち、各領域ＲＡ２〜ＲＡ５において、どの社員が活動しているかが分かる。このカラービット解析回路部２２により作成された各表示プレート１０ａ〜１０ｃのコードのデータはＲＡＭ１８やメモリカードＭＣに格納される。
【００３６】
メモリカードインタフェイス部２３は、ＣＰＵ１６とメモリカードＭＣとを電気的に接続する回路部である。メモリカードＭＣには、例えば、読取ユニット５により読み取られた画像データやその画像データに対して上記した画像処理を施した画像データが記録される。ホストインタフェイス部２４は、ＣＰＵ１６と外部のパーソナルコンピュータＰＣ１とを電気的に接続する回路部である。
【００３７】
ここでは、上記した制御部１５（特に、ピクセル領域設定回路部２０、ピクセル解析回路部２１およびカラービット解析回路部２２）を電子黒板１に設けた場合について説明したが、これに限定されるものではなく、例えば、図７に示すように、パーソナルコンピュータＰＣに、ピクセル領域設定回路部２０、ピクセル解析回路部２１およびカラービット解析回路部２２を設けても良い。この場合、電子黒板１には、ＣＰＵ１６ａ、ＲＯＭ１７ａ、ＲＡＭ１８ａ、情報記憶部３０、通信制御回路部３１、判断回路部３２およびホストインタフェイス部（ポート）２４が設けられている。電子黒板１の読取ユニット５で読み取られた画像データは情報記憶部３０に記憶される。画像データが情報記憶部３０に記憶されたことを判断回路部３２が判断すると、情報記憶部３０の画像データは通信制御回路部３１により呼び出されパーソナルコンピュータＰＣに転送される。そして、パーソナルコンピュータＰＣにおいて、電子黒板１で読み取られた画像データに対して画像処理（ピクセル領域（座標）の設定、読取領域ＲＡの分割、各種画像の座標位置の確定等）やカラービットの解析が行われる。また、カラービット解析回路部２２のみをパーソナルコンピュータＰＣ１に設け、パーソナルコンピュータＰＣ１において、各表示プレート１０ａ〜１０ｃの各カラービットＣＢの解析を行っても良い。
【００３８】
また、上記の例においては、読取ユニット５により読み取った画像の中から枠状ラインＬのデータを抽出した場合について説明したが、これに限定されるものではなく、例えば、複数種類の枠状ラインＬが記録されたデータベースを予めメモリカードＭＣ内等に記録しておいて、その中からボード４の表示面Ｓ内の表示内容に合った枠状ラインを選択しても良い。また、電子黒板１の表示面Ｓの読取ユニット５により読み取られた画像データに対してパーソナルコンピュータＰＣ１においてピクセル領域の設定や解析を行う場合には、枠状ラインＬを入力手段により入力し、領域を設定するようにしても良い。
【００３９】
次に、図８は図１の電子黒板とパーソナルコンピュータとを有する読取システムの構成例を示す斜視図、図９は配車地域のデータベースの一覧表の一部を例示する図、図１０はパーソナルコンピュータのモニタに表示された配車地域の一覧表の一部を例示する図である。
【００４０】
図８に示すように、電子黒板１は、配線ＥＬを通じてネットワークに接続され、ネットワークを経由して複数台のパーソナルコンピュータＰＣ１，ＰＣ２，ＰＣ３と電気的に接続されている。ただし、電子黒板１とネットワーク（パーソナルコンピュータＰＣ１，ＰＣ２，ＰＣ３）とを無線により電気的に接続しても良い。
【００４１】
パーソナルコンピュータＰＣ１の外部メモリには、図９に示すように、例えば、配車地域のデータベースが記録されている。この配車地域のデータベースには、例えば、各カラーコードに対応する配車担当者の名前、車番号およびその他の情報が記録されている。また、このデータベースには、図示はしないが、カラーコードに対応する地域名（駅名）等も記録されている。
【００４２】
パーソナルコンピュータＰＣ１において配車地域管理用のアプリケーションを開くと、電子黒板１から送信された画像データと、パーソナルコンピュータＰＣ１の外部メモリに格納されたデータベースのデータとに基づいて、各表示プレート１０ａ〜１０ｃのカラービットＣＢと駅名や社員名との対応をとることで配車地域の一覧表が作成される。そして、作成された配車地域の一覧表は、図１０に例示するように、パーソナルコンピュータＰＣ１のモニタＰＭ１に表示される。その結果、配車地域管理者等は、社員の活動地域を簡単かつ確実に把握することができる。なお、図１０の配車地域の一覧表は、他のパーソナルコンピュータＰＣ２，ＰＣ３のモニタＰＭ２，ＰＭ３でも閲覧することが可能になっている。また、電子黒板１で読み取られた画像自体をパーソナルコンピュータＰＣ１〜ＰＣ３の各モニタＰＭ１〜ＰＭ３に表示することもできる。
【００４３】
ここで、発明者が検討した画像読取技術においては、カラービットが表示された複数の表示プレートを含むボードの表示面を読み取る場合、そのボードの向かい側にカメラを設置し、そのカメラでボードの表示面を撮影したり、人がカメラでボードの表示面を撮影したりしているので、撮影地点からボードまでの領域を必要とし、全体的に大型化して場所をとる、という課題がある。 また、カメラを固定した場合には、ボードを他の場所に移動して使用することができなくなる、という課題もある。さらに、カメラが通行の邪魔になる上、人がボードの前を通る度に通行の邪魔にならないようにカメラを移動しなければならないので、その度にカメラの位置を設定し直さなければならず読み取り作業が煩雑になる、という課題もある。これに対して、本実施の形態においては、ボード４の表示面Ｓの表示内容を読取ユニット５により読み取ることができる。このため、電子黒板１の外部にカメラを設置するスペースを必要としないので、設置スペースを小型化することができる。そして、電子黒板１を小型化することができるので、狭い空間でも電子黒板１を設置することができる。また、事務所内、工場内または物流倉庫内等、必要な場所に電子黒板１を移動する場合もその移動を容易にすることができる。また、読取ユニット５の位置を設定し直す必要もないので、ボード４の表示面Ｓの読み取り作業が煩雑になることもない。
【００４４】
以上、本発明者によってなされた発明を実施の形態に基づき具体的に説明したが、本明細書で開示された実施の形態はすべての点で例示であって、開示された技術に限定されるものではない。すなわち、本発明の技術的な範囲は、前記の実施の形態における説明に基づいて制限的に解釈されるものでなく、あくまでも特許請求の範囲の記載に従って解釈されるべきであり、特許請求の範囲の記載技術と均等な技術および特許請求の範囲の要旨を逸脱しない限りにおけるすべての変更が含まれる。
【００４５】
例えば、前記実施の形態においては、社員の配車地域のスケジュール等のような人間の行動管理に適用した場合について説明したが、これに限定されるものではなく、例えば、物流管理、書類管理、入退管理または薬品管理等のような種々の管理あるいは状態検査に適用できる。また、視認性を有する情報としては、文字、記号や図形などである。
【産業上の利用可能性】
【００４６】
以上の説明では、本発明はカラービットのような光学式認識コードを読み取る電子黒板に適用して有効である。
【符号の説明】
【００４７】
１  電子黒板
２  脚部
３  本体部
４  ボード
５  読取ユニット
６  印刷ユニット
７  操作パネル
１０ａ〜１０ｃ  表示プレート
１５  制御部
１６，１６ａ  ＣＰＵ
１７，１７ａ  ＲＯＭ
１８，１８ａ  ＲＡＭ
１９  読取ユニット制御回路部
２０  ピクセル領域設定回路部
２１  ピクセル解析回路部
２２  カラービット解析回路部
２３  メモリカードインタフェイス部
２４  ホストインタフェイス部
３０  情報記憶部
３１  通信制御回路部
３２  判断回路部
Ｓ  表示面
ＲＡ  読取領域
ＲＡ１〜ＲＡ５  領域
Ｌ  枠状ライン
ＰＣ，ＰＣ１〜ＰＣ３  パーソナルコンピュータ
ＰＭ１〜ＰＭ３  モニタ
【図１】
0006406539.tif 000002
【図２】
0006406539.tif 000003
【図３】
0006406539.tif 000004
【図４】
0006406539.tif 000005
【図５】
0006406539.tif 000006
【図６】
0006406539.tif 000007
【図７】
0006406539.tif 000008
【図８】
0006406539.tif 000009
【図９】
0006406539.tif 000010
【図１０】
0006406539.tif 000011